(57)【要約】【課題】  大径管の内側に小径管を有する二重管を備える水栓装置において、水抜栓により大径管及び小径管内の水抜きをすることが可能な水栓装置を提供することを目的とする。【解決手段】  本発明は、大径管の内側に小径管を有する二重管と、大径管または小径管を介して給水源から供給される水を吐水する吐水部と、二重管の水抜きが可能な水抜栓と、を備える水栓装置であって、二重管には、大径管内と大径管外とを連通させる第１水抜孔が設けられるとともに、小径管内と大径管内とを連通させる第２水抜孔が設けられ、水抜栓は、水抜きをするために操作される水抜栓本体と、第１水抜孔に設けられた第１弁座と離接可能に水抜栓本体に配置された第１弁体と、第２水抜孔に設けられた第２弁座と離接可能に水抜栓本体に配置された第２弁体と、を有し、第１弁体及び第２弁体は、水抜栓本体の移動に伴って第１水抜孔及び第２水抜孔を開放または閉鎖する。【選択図】  図６
2014181773.tif 000002
【特許請求の範囲】
【請求項１】
大径管の内側に小径管を有する二重管と、給水源から前記大径管または前記小径管を介して供給される水を吐水する吐水部と、前記二重管の水抜きが可能な水抜栓と、を備える水栓装置であって、
前記二重管には、前記大径管内と前記大径管外とを連通させる第１水抜孔が設けられるとともに、前記小径管内と前記大径管内とを連通させる第２水抜孔が設けられ、
前記水抜栓は、水抜きをするために操作される水抜栓本体と、前記第１水抜孔に設けられた第１弁座と離接可能に前記水抜栓本体に配置された第１弁体と、前記第２水抜孔に設けられた第２弁座と離接可能に前記水抜栓本体に配置された第２弁体と、を有し、
前記第１弁体及び前記第２弁体は、前記水抜栓本体の移動に伴って前記第１水抜孔及び前記第２水抜孔を開放または閉鎖する水栓装置。
【請求項２】
前記第１弁座と前記第２弁座との間の距離が、前記第１弁体と前記第２弁体との間の距離と等しくなるよう保持されている請求項１に記載の水栓装置。
【請求項３】
前記第１弁体及び前記第２弁体が前記第１水抜孔及び前記第２水抜孔の閉鎖を保持する方向に前記水抜栓本体を付勢する付勢部材を有する請求項１または２に記載の水栓装置。
【請求項４】
前記大径管の外側に突出した前記水抜栓本体の突出部を覆う外装ケースを有し、  この外装ケースは、前記第１水抜孔及び前記第２水抜孔を開放した際の排水口となる開口部を有する、請求項１から３のいずれか１項に記載の水栓装置。
【請求項５】
前記大径管の前記第１水抜孔に隣接する領域に、前記第１水抜孔に向けて縮径するテーパ形状が設けられている請求項１から４のいずれか１項に記載の吐水装置。
【請求項６】
前記小径管の前記第２水抜孔に隣接する領域に、前記第２水抜孔に向けて縮径するテーパ形状が設けられている請求項１から５のいずれか１項に記載の吐水装置。
【発明の詳細な説明】
【技術分野】
【０００１】
本発明は、吐止水を行う水栓装置に関する。
【背景技術】
【０００２】
従来、吐止水を行う水栓装置として、スパウトの先端部に供給された原水の流路を切り替える切替ユニットと、スパウト上流側で原水の処理を行う水処理ユニットと、この水処理ユニットと切替ユニットとの間に設けられて切替ユニットから水処理ユニットに原水を供給するとともに、水処理ユニットで処理された処理水を切替ユニットへ返送するための、同心状に配置された大径管と小径管からなる二重管とを備えたものが知られている（例えば、特許文献１参照。）。この種の水栓装置においては、切替ユニットに原水の流路を切り替える切替レバーが設けられており、この切替レバーを操作することで、原水をそのまま吐水する流路、原水をシャワー状に吐水する流路、または、原水を切替ユニットより水処理ユニットへ供給する流路の何れかに切り替えて３種類の吐水を行うことができるようになっている。
【先行技術文献】
【特許文献】
【０００３】
【特許文献１】特開２００７−１５４９６１号公報
【発明の概要】
【発明が解決しようとする課題】
【０００４】
ところで、寒冷地等の凍結のおそれのある場所にて使用される水栓装置は、通常、その水栓装置内の水を抜くことが可能な水抜栓を備える。上述したような二重管を備える水栓装置においても、寒冷地等の凍結のおそれのある場所にて使用するためには、小径管及び大径管の水を抜くための水抜栓を備える必要がある。水抜栓を備えない場合、小径管及び大径管内の水が凍結することで、小径管及び大径管が破損するおそれがある。
【０００５】
本発明は、上述した問題を解決するためになされたものであり、大径管の内側に小径管を有する二重管を備える水栓装置において、水抜栓により大径管及び小径管内の水抜きをすることが可能な水栓装置を提供することを目的とする。
【課題を解決するための手段】
【０００６】
本発明は、大径管の内側に小径管を有する二重管と、前記大径管または前記小径管を介して給水源から供給される水を吐水する吐水部と、前記二重管の水抜きが可能な水抜栓と、を備える水栓装置であって、前記二重管には、前記大径管内と前記大径管外とを連通させる第１水抜孔が設けられるとともに、前記小径管内と前記大径管内とを連通させる第２水抜孔が設けられ、前記水抜栓は、水抜きをするために操作される水抜栓本体と、前記第１水抜孔に設けられた第１弁座と離接可能に前記水抜栓本体に配置された第１弁体と、前記第２水抜孔に設けられた第２弁座と離接可能に前記水抜栓本体に配置された第２弁体と、を有し、前記第１弁体及び前記第２弁体は、前記水抜栓本体の移動に伴って前記第１水抜孔及び前記第２水抜孔を開放または閉鎖する水栓装置である。
【０００７】
このように構成された本発明においては、水抜栓本体の移動に伴い小径管内の水が大径管へ排出されそのまま大径管内の水とともに水抜栓の外部へ排出されるため、２つの配管の水抜きを同時に行うことができる。
【０００８】
本発明は、さらに、前記第１弁座と前記第２弁座との間の距離が、前記第１弁体と前記第２弁体との間の距離と等しくなるよう保持されている構成としてもよい。
【０００９】
このように構成された本発明においては、第１弁座と第２弁座との間の距離が第１弁体と第２弁体との間の距離と等しくなるよう保持されることで、水抜栓本体の一軸方向の移動で第１水抜孔及び第２水抜孔を同時に開放または閉止することができる。
【００１０】
本発明は、さらに、前記第１弁体及び前記第２弁体が前記第１水抜孔及び前記第２水抜孔の閉止を保持する方向に前記水抜栓本体を付勢する付勢部材を有する構成としてもよい。
【００１１】
このように構成された本発明においては、付勢部材により吐水装置の通常使用時には水抜栓からの水漏れを防ぐことができる。
【００１２】
本発明は、さらに、前記大径管の外側に突出した前記水抜栓本体の突出部を覆う外装ケースを有し、この外装ケースは、前記第１水抜孔及び前記第２水抜孔を開放した際の排水口となる開口部を有する構成としてもよい。  
【００１３】
このように構成された本発明においては、排水される水が外装ケースに設けた排水口に集められてそのまま排水されるため、水抜き時の排水の取り扱いが容易となる。
【００１４】
本発明は、さらに、前記大径管の前記第１水抜孔に隣接する領域に、前記第１水抜孔に向けて縮径するテーパ形状が設けられている構成としてもよい。  
【００１５】
このように構成された本発明においては、テーパ形状により配管内の水が第１水抜孔に流れ込みやすくなり、配管内に残る水をより少なくした水抜きを行うことができる。
【００１６】
本発明は、さらに、前記小径管の前記第２水抜孔に隣接する領域に、前記第２水抜孔に向けて縮径するテーパ形状が設けられている構成としてもよい。
【００１７】
このように構成された本発明においては、テーパ形状により配管内の水が第２水抜孔に流れ込みやすくなり、配管内に残る水をより少なくした水抜きを行うことができる。
【発明の効果】
【００１８】
本発明の水栓装置によれば、水抜栓により大径管及び小径管内の水抜きをすることが可能となる。
【図面の簡単な説明】
【００１９】
【図１】本発明の一実施形態による水栓装置を示す外観斜視図。
【図２】本発明の一実施形態による水栓装置を示す側面図。
【図３】本発明の一実施形態による水栓装置の流路形成部材を示す断面図。
【図４】本発明の一実施形態による水栓装置の流路形成部材、その上方の固定弁体、及びその上方の可動弁体を概略的に示す平面図。
【図５】本発明の一実施形態による水栓装置のホース部材と鋼管部材との接続部を拡大した部分拡大断面図。
【図６】（ａ）本発明の一実施形態による水栓装置の水抜栓の通常状態を示す部分拡大断面図。（ｂ）本発明の一実施形態による水栓装置の水抜栓の水抜状態を示す部分拡大断面図。
【図７】本発明の一実施形態による水栓装置の吐水ヘッド部を示す平面断面図。
【図８】（ａ）本発明の一実施形態による水栓装置の吐水ヘッド部における原水ストレート吐水モードの吐水動作を概略的に説明した図。（ｂ）本発明の一実施形態による水栓装置の吐水ヘッド部における原水シャワー吐水モードの吐水動作を概略的に説明した図。（ｃ）本発明の一実施形態による水栓装置の吐水ヘッド部における浄水ストレート吐水モードの吐水動作を概略的に説明した図。
【図９】（ａ）本発明の一実施形態の変形例による水栓装置の水抜栓の通常状態を示す部分拡大断面図。（ｂ）本発明の一実施形態の変形例による水栓装置の水抜栓の水抜状態を示す部分拡大断面図。
【発明を実施するための形態】
【００２０】
以下、図面を参照して本発明の一実施形態による水栓装置について説明する。図１は本発明の一実施形態による水栓装置を示す外観斜視図、図２は本発明の一実施形態による水栓装置を示す側面図である。
【００２１】
図１及び図２に示すように、本発明の一実施形態による水栓装置１は、１つの操作ハンドル６を操作することにより流量及び温度を調整した湯水を吐水ヘッド部８の吐水部８ａで吐止水することができ、さらに、操作ハンドル６の操作により吐水部８ａで浄水を吐止水することができる浄水機能を有する、いわゆる、シングルレバー式の混合水栓装置本体１０を備える。また、水栓装置１は、図示しない給水源から供給され加熱された湯（原水）を混合水栓装置本体１０へ導く給湯管２と、給水源（図示せず）から混合水栓装置本体１０へ水（原水）を供給する給水管４とを備える。
【００２２】
混合水栓装置本体１０は、台所のシンクや洗面台等のカウンター１２上に配置され、操作ハンドル６を上方（図１に示されている矢印「開」の方向）に回動操作した場合には、吐水ヘッド部８の吐水部８ａにおける止水から吐水への切替え操作ができるようになっている。操作ハンドル６をより上方に回動させた位置に設定する程、吐水ヘッド部８の吐水部８ａから吐出される湯水の流量を大きく設定することができるようになっている。
【００２３】
一方、操作ハンドル６を最も下方（図１に示されている矢印「閉」の方向）の位置に回動操作した場合には、吐水ヘッド部８の吐水部８ａから吐出される湯水を止水状態に設定することができるようになっている。
【００２４】
さらに、操作ハンドル６を正面側から混合水栓装置本体１０の鉛直方向の中心軸線Ａ１を中心に図１の矢印「Ｃ」の水平方向（図１の水平方向右側）に回動操作した場合には、吐水ヘッド部８の吐水部８ａから原水による水の吐水を行うモード（以下「水吐水モード」）に設定することができるようになっている。また、この水吐水モードの状態から、操作ハンドル６を、中心軸線Ａ１を中心に図１の矢印「Ｃ」の水平方向（図１の水平方向右側）にさらに回動操作した場合には、吐水ヘッド部８の吐水部８ａから浄水の吐水を行うモード（以下「浄水吐水モード」に設定することができるようになっている。
【００２５】
一方、操作ハンドル６を正面側から混合水栓装置本体１０の鉛直方向の中心軸線Ａ１を中心に図１の矢印「Ｈ」の水平方向（図１の水平方向左側）に回動操作した場合には、吐水ヘッド部８の吐水部８ａから原水による湯の吐水を行うモード（以下「湯吐水モード」）に設定することができるようになっている。また、操作ハンドル６を水吐水モードでの位置と湯吐水モードでの位置との間の位置に回動操作した場合には、原水による湯と水とを混合させて吐水するモード（以下「湯水混合吐水モード」）に設定することができるようになっている。
【００２６】
次に、図２に示すように、吐水ヘッド部８は、混合水栓装置本体１０の前面から前方且つ斜め上方に突出する吐水ヘッド取付部１４に取り外し可能に取り付けられている。使用者は、吐水ヘッド部８を把持して混合水栓装置本体１０の吐水ヘッド取付部１４から取り外し、前方側（図２の矢印Ａの方向）へ引き出した状態で使用することができるようになっている。
【００２７】
また、吐水ヘッド部８の前端部には、吐水部８ａにおいてシャワー状の吐水を行う吐水モード（以下「シャワー吐水モード」）またはストレート状の吐水を行う吐水モード（以下「ストレート吐水モード」）に切替える切替スイッチ８ｂが設けられている。
【００２８】
さらに、図１及び図２に示すように、吐水ヘッド部８の後端部（上流側）は、ホース部材１６が接続され、このホース部材１６の上流側は、混合水栓装置本体１０に内蔵されている流路形成部材３０に接続された鋼管部材１８と接続部材２０によって接続されている。ホース部材１６、鋼管部材１８及び接続部材２０は、大径管の内側に小径管を有する二重管として機能する。また、混合水栓装置本体１０には、混合水栓装置本体１０内の複数の流路のうちから所定の流路を通水させる流路として選択して切替えるバルブカートリッジ２８（流路切替部）が内蔵されている。
【００２９】
また、接続部材２０には、混合水栓装置本体１０、鋼管部材１８、及び、接続部材２０の水を抜くことが可能な水抜栓１２０が設けられている。
【００３０】
次に、図３及び図４を参照してバルブカートリッジ及び流路形成部材について説明する。図３は本発明の一実施形態による水栓装置の流路形成部材の断面図、図４は本発明の一実施形態による水栓装置の流路形成部材、その上方の固定弁体、及びその上方の可動弁体を概略的に示す平面図である。なお、図３においては、一次側の湯の流れ及び水の流れのそれぞれ、並びに、二次側の非浄水用原水の流れＦ１及び浄水用原水の流れＦ２のそれぞれを矢印で示している。
【００３１】
図３に示すように、混合水栓装置本体１０に内蔵される流路形成部材３０は、鉛直方向に延びる一次側湯流路３０ａ、一次側水流路３０ｂ、二次側原水側流路３０ｃ及び二次側浄水側流路３０ｄの４つの流路がそれぞれ形成されている。
【００３２】
図４に示すように、混合水栓装置本体１０内の流路形成部材３０の上側に設けられるバルブカートリッジ２８は、固定弁体２２と、この固定弁体２２上に摺動可能に設けられた可動弁体２４と、この可動弁体２４に連結されて可動弁体２４を操作する図示しない操作部とを有する。
【００３３】
固定弁体２２は、鉛直方向に延びる一次側湯流路２２ａ、一次側水流路２２ｂ、二次側原水側流路２２ｃ及び二次側浄水側流路２２ｄの４つの流路がそれぞれ形成されている。一方、可動弁体２４は、固定弁体２２側（可動弁体２４の上流側）からの吐水が流入する一次側流路２４ａと、この一次側流路２４ａから流入する吐水を固定弁体２２側（可動弁体２４の下流側）に吐出させる二次側流路２４ｂとを有する。
【００３４】
図３及び図４に示すように、流路形成部材３０の一次側湯流路３０ａは、その上端部（下流端部）が、バルブカートリッジ２８の固定弁体２２の一次側湯流路２２ａの下端側（上流側）と連通接続されている。一方、流路形成部材３０の一次側湯流路３０ａの下端部（上流端部）には、給湯管２の上端部（下流端部）が挿入されて接続される。同様に、流路形成部材３０の一次側水流路３０ｂは、その上端部（下流端部）がバルブカートリッジ２８の固定弁体２２の一次側水流路２２ｂの下端側（上流側）と連通接続されている。一方、流路形成部材３０の一次側水流路３０ｂの下端部（上流端部）には、給水管４の上端部（下流端部）が挿入されて接続される。
【００３５】
また、流路形成部材３０の二次側原水側流路３０ｃ及び二次側浄水側流路３０ｄのそれぞれの上端部（上流端部）は、固定弁体２２の二次側原水側流路２２ｃ及び二次側浄水側流路２２ｄのそれぞれの下端側（下流側）と連通接続されている。
【００３６】
さらに、図３に示すように、流路形成部材３０の二次側原水側流路３０ｃには、下方側から鋼管部材１８が接続されている。この鋼管部材１８は、細長い略円管状の外側鋼管部材３６（大径管）と、この外側鋼管部材３６の内部に同心状に配置された内側鋼管部材３８（小径管）とからなる二重管部材である。また、内側鋼管部材３８の上端部（上流端部）は、流路形成部材３０の底面から所定距離上方に位置する二次側原水側流路３０ｃの下流端部である内側鋼管部材接続部４０にシール部材４２を介して液密に接続されている。それにより、内側鋼管部材３８の内周側は、二次側原水側流路３０ｃから流入した非浄水用原水のみが流れる原水側流路３８ａを形成している。
【００３７】
一方、流路形成部材３０の底面且つ内側鋼管部材接続部４０の真下（内側鋼管部材接続部４０よりも下流側）の位置には、外側鋼管部材接続部４４が設けられ、外側鋼管部材３６の上端部（上流端部）がシール部材４６を介して液密に接続されている。さらに、流路形成部材３０の外側鋼管部材接続部４４よりも上流側且つ内側鋼管部材接続部４０よりも下流側には、二次側浄水側流路３０ｄの下端部と外側鋼管部材接続部４４とを接続するようにほぼ水平方向に延びる接続流路４８が形成されている。
【００３８】
また、外側鋼管部材接続部４４よりも上流側に位置する流路形成部材３０の二次側原水側流路３０ｃ及び二次側浄水側流路３０ｄは、それぞれの流路断面の中心軸線が互いに偏心しているため、二次側浄水側流路３０ｄ内の浄水用の原水は、接続流路４８を経て、内側鋼管部材３８の外周面と外側鋼管部材３６の内周面との間に形成される浄水側流路３６ａ（図４参照）を流れるようになっている。すなわち、内側鋼管部材３８の内周側の原水側流路３８ａと、内側鋼管部材３８の外周面と外側鋼管部材３６の内周面との間に形成される浄水側流路３６ａとは、互いに独立した流路を形成しているため、それぞれを流れる非浄水用原水と浄水用原水とは互いに混ざり合うことなく流れるようになっている。
【００３９】
このような構成により、操作ハンドル６の操作によりバルブカートリッジ２８の操作部（図示せず）を操作すると、可動弁体２４が固定弁体２２の上面に沿って摺動または回動することにより、流路形成部材３０の流路及び可動弁体２４の流路と固定弁体２２の流路との連通状態を切替えることができるようになっている。これにより、混合水栓装置本体１０内の複数の流路のうちから所定の流路を通水させる流路として選択して切替えることができ、吐水ヘッド部８の吐水部８ａにおける吐水モードを上述した水吐水モード、湯水混合吐水モード、湯吐水モード、または浄水吐水モードの何れかに切替えることができるようになっている。
【００４０】
次に、図５を参照して、ホース部材と鋼管部材との接続部の詳細について説明する。図５は、本発明の一実施形態による水栓装置のホース部材と鋼管部材との接続部を拡大した部分拡大断面図である。なお、図５では、非浄水用原水の流れＦ１及び浄水用原水の流れＦ２をそれぞれ矢印で示している。図５に示すように、鋼管部材１８の下方側（下流側）には、複数の部品からなる接続部材２０が接続されており、この接続部材２０の下方側（下流側）には、ホース部材１６が接続されるようになっている。
【００４１】
接続部材２０は、図５の上方側から下方側に向って、ワンタッチソケット５６（大径管）と、中継パイプ５８（大径管）と、この中継パイプ５８に内蔵されているカプラ６０（小径管）及び管状のインナーホース継手６２（小径管）とを備えている。また、接続部材２０には、水抜栓１２０が設けられている。
【００４２】
ワンタッチソケット５６は、内蔵された圧縮コイルばね（図示せず）により、外側鋼管部材３６及び内側鋼管部材３８と中継パイプ５８とを着脱可能に接続するための接続部材である。外側鋼管部材３６及び内側鋼管部材３８と中継パイプ５８とをワンタッチソケット５６を介して接続した状態では、中継パイプ５８内を延びる内側鋼管部材３８の外周面と中継パイプ５８の内周面との間に浄水用原水流路５８ａが形成されており、この浄水用原水流路５８ａは、その上方の外側鋼管部材３６の内部の浄水用原水流路３６ａと連通している。
【００４３】
中継パイプ５８に内蔵されているカプラ６０は、内側鋼管部材３８の下端部とその下方のインナーホース継手６２の上端部とを接続するための接続部材である。このカプラ６０により内側鋼管部材３８の下端部とインナーホース継手６２の上端部とが接続された状態では、カプラ６０の内周側に形成される流路が、その上方の内側鋼管部材３８の非浄水用原水流路３８ａと連通している非浄水用原水流路６０ａとなっているとともに、インナーホース継手６２の内周側に形成される流路が、その上方のカプラ６０の非浄水用原水流路６０ａと連通している非浄水用原水流路６２ａとなっている。また、カプラ６０の外周面とこれに対向する中継パイプ５８の内周面との間には、外側鋼管部材３６の内部の浄水用原水流路３６ａと連通している浄水用原水流路５８ａが形成されている。
【００４４】
中継パイプ５８は、その下端部でインナーホース継手６２とホース部材１６とを接続するための接続部材である。ホース部材１６は、具体的には、内側から外側に向って略同心状に配置された、インナーホース７２（小径管）、アウターホース７４（大径管）及びフレキチューブ７６を備えている。
【００４５】
さらに、中継パイプ５８の外周面には、中継パイプ５８の中心軸と直行する方向に外周面から突出する凸部５８ｂが設けられているとともに、この凸部５８ｂには、中継パイプ５８の浄水用原水流路５８ａと中継パイプ５８の外部とを連通させる第１水抜孔５８ｃが設けられている。一方、カプラ６０の外周面には、カプラ６０の中心軸と直行する方向に外周面から窪んだ凹部６０ｂが設けられているとともに、この凹部６０ｂには、カプラ６０の非浄水用原水流路６０ａと中継パイプ５８の浄水用原水流路５８ａとを連通させる第１水抜孔５８ｂが設けられている。なお、第１水抜孔５８ｃと第２水抜孔６０ｃとは、同心状に形成され、ともに雌ネジが設けられるとともに、詳細は後述する水抜栓１２０により、閉鎖されている。
【００４６】
また、インナーホース継手６２は、上下方向に延びており、このインナーホース継手６２の下端部は、アウターホース７４の内部でインナーホース７２の内周側に挿入されて接続されている。すなわち、インナーホース７２の内周側には、インナーホース継手６２の非浄水用原水流路６２ａと連通する非浄水用原水流路７２ａが形成されている。さらに、インナーホース継手６２の外周面とアウターホース７４の内周面との間には、中継パイプ５８内の浄水用原水流路５８ａと連通する浄水用原水流路７４ａが形成されている。
【００４７】
ここで、インナーホース７２は、その内周側の非浄水用原水流路７２ａ内の水圧や、その外周側の浄水用原水流路７４ａ内の水圧により弾性変形可能な弾性材料、例えば、塩化ビニル、シリコーン、フッ素ゴムで形成されている。また、アウターホース７４の外周面は、補強層により覆われており、アウターホース７４の内部の非浄水用原水流路７２ａ内や浄水用原水流路７４ａ内で大きな水圧が作用したとしても、アウターホース７４内の流路断面が半径方向外側に所定以上に拡張することを防ぐことができるようになっており、アウターホース７４が破裂する等の損傷を防ぐことができるようになっている。さらに、フレキチューブ７６は、ステンレス等の材料からなる金属製の可撓性ホース部材である。
【００４８】
次に、図６を参照して、水抜栓について説明する。図６（ａ）は本発明の一実施形態による水栓装置の水抜栓の通常状態を示す部分拡大断面図であり、図６（ｂ）は本発明の一実施形態による水栓装置の水抜栓の水抜状態を示す部分拡大断面図である。図６（ａ）及び（ｂ）に示すように、水抜栓１２０は、略円筒状の水抜栓本体１２２と、この水抜栓本体１２２に設けられた第１のＯリング１２４（第１弁体）及び第２のＯリング１２６（第２弁体）とを有する。
【００４９】
水抜栓本体１２２は、第１水抜孔５８ｂ及び第２水抜孔６０ｂへと挿入及び螺合可能なように、一端側から他端側（図６における左方から右方）に向けて段差状に縮径するとともに、その外周には雄ネジが設けられている。なお、水抜栓本体１２２の他端側の段差は、カプラ６０の凹部６０ｂに合致するように形成され、これにより水抜栓本体１２２の挿入の位置を容易に決めることができる。また、水抜栓本体１２２の外周には、第１のＯリング１２４及び第２のＯリング１２６が嵌合されている。さらに、第１水抜孔５８ｂ及び第２水抜孔６０ｂへと挿入及び螺合した際に、中継パイプ５８の外部へと露出する水抜栓本体１２２の一端側（図６における左端）の外面には、ドライバー等の工具を差し込むための差込穴１２２ａが形成されている。
【００５０】
第１のＯリング１２４は、水抜栓本体１２２が第１水抜孔５８ｂ及び第２水抜孔６０ｂへと挿入及び螺合された際に、水栓本体１２２と凸部５８ｂとの間で変形し、第１水抜孔５８ｃを閉鎖するように水抜栓本体１２２に配置される。即ち、凸部５８ｂは、第１のＯリング１２４が離接する第１弁座として機能する。同様に、第２のＯリング１２６は、水抜栓本体１２２と凹部６０ｂとの間で変形し、第２水抜孔６０ｃを閉鎖するように水抜栓本体１２２に配置される。即ち、凹部６０ｂは、第２のＯリング１２６が離接する第２弁座として機能する。また、水抜栓本体１２２を接続部材２０に挿入する際、水抜栓本体１２２が挿入方向に向けて段差状に縮径しているため、水抜栓本体１２２外周に嵌合される第１のＯリング１２４及び第２のＯリング１２６の位置が、段差により所定の位置に保持される。そのため、凸部５８ｂの第１のＯリング１２４が離接する部分と凹部６０ｂの第２のＯリング１２６が離接する部分との間の距離は、第１のＯリング１２４と第２のＯリング１２６との間の距離と等しくなるように保持することができる。
【００５１】
次に、図７を参照して、吐水ヘッド部の内部構造の詳細について説明する。図７は本発明の一実施形態による水栓装置の吐水ヘッド部を示す平面断面図である。なお、図７では、非浄水用原水の流れＦ１及び浄水用原水及び浄水の流れＦ２をそれぞれ矢印で示している。また、図７においては、水栓装置はストレート吐水モードに設定されている。
【００５２】
図７に示すように、吐水ヘッド部８は、ホース部材１６が接続されるホース接続部８０を備えている。また、吐水ヘッド部８は、外側ケーシング部材９６と、この外側ケーシング部材９６の内側に設けられた内側ケーシング部材９８と、この内側ケーシング部材９８の内部に設けられた略円筒形状の浄水カートリッジ１００（浄水部）とを備えている。  
【００５３】
内側ケーシング部材９８の外周面と外側ケーシング部材９６の内周面との間には、ホース接続部８０を介してインナーホース７２の原水側流路７２ａの下流側と連通する原水側流路１０２が形成されている。一方、内側ケーシング部材９８の内周面と浄水カートリッジ１００の外周面との間には、ホース接続部８０を介してインナーホース７２の外周面とアウターホース７４の内周面との間の浄水側流路７４ａの下流側と連通する浄水側流路１０４が原水側流路１０２から独立して形成されている。
【００５４】
浄水側流路１０４内の浄水用原水は、その内側の浄水カートリッジ１００の中を通過することにより浄水にされた後に、吐水部８ａ側へ流れるようになっている。また、原水側流路１０２内の非浄水用原水は、浄水カートリッジ１００を通過することなく、浄化されていない原水（水、湯、または混合湯水）のままで吐水部８ａ側へ流れるようになっている。
【００５５】
また、図７に示すように、吐水ヘッド部８の吐水部８ａの内部には、ストレート吐水用吐水流路１０６及びシャワー吐水用吐水流路１０８がそれぞれ形成されている。
【００５６】
ストレート吐水用吐水流路１０６は、切替スイッチ８ｂによりストレート吐水モードが設定されている場合に、吐水ヘッド部８内の非浄水用原水流路１０２を流れた非浄水用原水（水、湯、若しくは混合湯水）、または、吐水ヘッド部８内の浄水用原水流路１０４から浄水カートリッジ１００を通過した浄水が流れ込み、その下流側でストレート状に吐水させる流路となっている。このとき、シャワー吐水用吐水流路１０８は、切替スイッチ８ｂの切替弁（図示せず）により閉鎖され、吐水が流入しないようになっている。
【００５７】
一方、シャワー吐水用吐水流路１０８は、切替スイッチ８ｂによりシャワー吐水モードが設定されている場合に、吐水ヘッド部８内の非浄水用原水流路１０２を流れた非浄水用原水（水、湯、又は混合湯水）が流れ込み、その下流側でシャワー状に吐水させる流路となっている。このとき、ストレート吐水用吐水流路１０６は、切替スイッチ８ｂの切替弁（図示せず）により閉鎖され、吐水が流入しないようになっている。
【００５８】
また、浄水カートリッジ１００よりも下流側に形成されて浄水カートリッジ１００を通過した浄水が流れる浄水流路１１０は、切替スイッチ８ｂの操作位置にかかわらず、吐水部８ａのストレート吐水用吐水流路１０６と常時連通しており、シャワー吐水用吐水流路１０８とは常時連通しない構造となっている。これにより、操作ハンドル６を浄水吐水モードに設定した状態で吐水ヘッド８の切替スイッチ８ｂをシャワー吐水モードに設定したとしても、シャワー状の浄水吐水は行われずに、ストレート状の浄水吐水のみが行われるようになっている。
【００５９】
次に、図１〜図８を参照して、上述した本発明の一実施形態による水栓装置１の動作について説明する。図８（ａ）は本発明の一実施形態による水栓装置の吐水ヘッド部における原水ストレート吐水モードの吐水動作を概略的に説明した図、（ｂ）は本発明の一実施形態による水栓装置の吐水ヘッド部における原水シャワー吐水モードの吐水動作を概略的に説明した図、（ｃ）本発明の一実施形態による水栓装置の吐水ヘッド部における浄水ストレート吐水モードの吐水動作を概略的に説明した図である。
【００６０】
まず、図８（ａ）に示すように、原水ストレート吐水モードとは、吐水ヘッド部８の切替スイッチ８ｂをストレート吐水モードに設定した状態で、操作ハンドル６を水吐水モードの操作位置、湯吐水モードの操作位置、または、湯水混合吐水モードの操作位置の何れかに設定したときの吐水モードを意味する。
【００６１】
この原水ストレート吐水モードに設定した場合においては、図３及び図４に示すように、操作ハンドル６を水吐水モードに設定した場合には、給水管４から供給される非浄水用の原水（水）が、流路形成部材３０の一次側水流路３０ｂから固定弁体２２の一次側水流路２２ｂを通過し、可動弁体２４の一次側流路２４ａ及び二次側流路２４ｂから固定弁体２２の二次側原水側流路２２ｃを経て流路形成部材３０の二次側原水側流路３０ｃを通過する。そして、この非浄水用の原水（水）は、図３、図５、図７に示すように、下流側に向って、内側鋼管部材３８内の原水側流路３８ａ、インナーホース７２内の原水側流路７２ａ、吐水ヘッド部８内の原水側流路１０２を流れる。そして、吐水ヘッド部８の切替スイッチ８ｂの切替弁（図示せず）がストレート吐水用吐水流路１０６を開放するとともにシャワー吐水用吐水流路１０８を閉鎖することにより、原水（水）がストレート吐水用吐水流路１０６を流れ、最終的には、吐水部８ａのストレート吐水口１１２からストレート吐水される。
【００６２】
同様に、操作ハンドル６を湯吐水モードや湯水混合吐水モードに設定した場合についても、流路形成部材３０の二次側原水側流路３０ｃの上流側から二次側原水側流路３０ｃ内に流入した非浄水用の原水（湯または混合湯水）が、図３、図５及び図７に示すように、下流側に向って、内側鋼管部材３８内の原水側流路３８ａ、インナーホース７２内の原水側流路７２ａを経て吐水ヘッド部８内の原水側流路１０２からストレート吐水用吐水流路１０６を流れ、最終的には、原水（湯または混合湯水）が吐水部８ａのストレート吐水口１１２からストレート吐水される。
【００６３】
次に、図８（ｂ）に示すように、原水シャワー吐水モードとは、吐水ヘッド部８の切替スイッチ８ｂをシャワー吐水モードに設定した状態で、操作ハンドル６を水吐水モードの操作位置、湯吐水モードの操作位置、または、湯水混合吐水モードの操作位置の何れかに設定したときの吐水モードを意味する。
【００６４】
この原水シャワー吐水モードに設定した場合においては、流路形成部材３０の二次側原水側流路３０ｃの上流側から二次側原水側流路３０ｃ内に流入した非浄水用の原水（水、湯または混合湯水）が、図３、図５及び図７に示すように、下流側に向って、内側鋼管部材３８内の原水側流路３８ａ、インナーホース７２内の原水側流路７２ａを経て吐水ヘッド部８内の原水側流路１０２を流れる点については、上述した原水ストレート吐水モードの場合と共通するが、吐水ヘッド部８の切替スイッチ８ｂの切替弁（図示せず）がストレート吐水用吐水流路１０６を閉鎖するとともにシャワー吐水用吐水流路１０８を開放する。これにより、原水（水、湯または混合湯水）がシャワー吐水用吐水流路１０８を流れ、最終的には、吐水部８ａのシャワー吐水口１１４からシャワー吐水される。
【００６５】
次に、図８（ｃ）に示すように、浄水ストレート吐水モードとは、吐水ヘッド部８の切替スイッチ８ｂをストレート吐水モードまたはシャワー吐水モードの何れかに設定した状態で、操作ハンドル６を浄水吐水モードの操作位置に設定したときの吐水モードを意味する。
【００６６】
この浄水ストレート吐水モードに設定した場合においては、図３及び図４に示すように、操作ハンドル６を浄水吐水モードに設定すると、給水管４から供給される非浄水用の原水（浄水化される前の原水）が、流路形成部材３０の一次側水流路３０ｂから固定弁体２２の一次側水流路２２ｂを通過し、可動弁体２４の一次側流路２４ａ及び二次側流路２４ｂから固定弁体２２の二次側浄水側流路２２ｄを経て流路形成部材３０の二次側浄水側流路３０ｄ及び接続流路４８を通過する。
【００６７】
そして、この浄水用の原水（浄水化される前の原水）は、図３、図５及び図７に示すように、下流側に向って、内側鋼管部材３８の外周側の浄水側流路３６ａ、インナーホース７２の外周側の浄水側流路７４ａを経て吐水ヘッド部８の内側ケーシング部材９８内の浄水カートリッジ１００を通過することにより浄水化される。さらに、この浄水は、ストレート吐水用吐水流路１０６に流れ込み、最終的には、吐水部８ａのストレート吐水口１１２からストレート吐水される。
なお、浄水ストレート吐水モードに設定した場合においては、浄水側流路１０４が、切替スイッチ８ｂの操作位置にかかわらず、吐水部８ａのストレート吐水用吐水流路１０６と常時連通しているため、吐水ヘッド部８の切替スイッチ８ｂをシャワー吐水モードに設定したとしても、シャワー状の浄水吐水は行われずに、ストレート状の浄水吐水のみが行われる。
【００６８】
次に、図６を参照して水抜栓の動作について説明する。
図６（ａ）に示すように、水抜きの必要のない通常状態においては、第１のＯリング１２４及び第２のＯリング１２６が、水抜栓本体１２２により中継パイプ５８の凸部５８ａ及びカプラ６０の凹部６０ｂに押圧され、第１水抜孔５８ｃ及び第２水抜孔６０ｃは閉鎖されている。
【００６９】
それに対して、気温の低下等により凍結のおそれがあるとき等の水抜きが必要な場合は、水抜栓本体１２２の差込穴１２２ａにマイナスドライバー等を差込んで回転させることで、水抜栓本体１２２がその軸方向における中継パイプ５８の外部側へと移動し、図６（ｂ）に示すように、水抜栓１２２は水抜状態となる。
【００７０】
水抜状態においては、第１水抜孔５８ｃ及び第２水抜孔６０ｃは同時に開放され、中継パイプ５８内及びカプラ６０内は、第１水抜孔５８ｃ及び第２水抜孔６０ｃを介して外部と連通した状態となる。そのため、第２水抜孔６０ｃを介して、カプラ６０の非浄水用原水流路６０ａから、中継パイプ５８の浄水用原水流路５８ａへと、原水が流れ込む。また、第１水抜孔５８ｃも第２水抜孔６０ｃと同時に開放され、第１水抜孔５８ｃを介して、浄水用原水流路５８ａ内に残っていた原水とともに、カプラ６０の非浄水用原水流路６０ａから中継パイプ５８の浄水用原水流路５８ａへ流れ込んだ原水が、外部へと流れ出す。即ち、水抜状態においては、混合水栓装置本体１０内、鋼管部材１８内及び接続部材２０内の原水が、第１水抜孔５８ｃ及び第２水抜孔６０ｃを通過して外部へと排出される。
【００７１】
上述した本発明の一実施形態による水栓装置１によれば、凸部５８ｂの第１のＯリング１２４が離接する部分と凹部６０ｂの第２のＯリング１２６が離接する部分との間の距離は、第１のＯリング１２４と第２のＯリング１２６との間の距離と等しい。そのため、水抜栓本体１２２の移動に伴い中継パイプ５８の浄水用原水流路５８ａと、浄水用原水流路５８ａ内側に設けられるカプラ６０の非浄水用原水流路６０ａというそれぞれ独立した２つの流路の水抜きを同時に行うことができる。従って、寒冷地などの凍結のおそれがある場所においても、水抜栓１２０により水抜きを行うことで、水栓装置１における凍結による破損を防止することができる。また、第１水抜孔５８ｃ及び第２水抜孔６０ｃが同心状に形成されているため、カプラ６０の非浄水用原水流路６０ａ内の水が中継パイプ５８の浄水用原水流路５８ａへ排出され、浄水用原水流路５８ａ内の水とともに外部へ排出される。従って、水が排出される場所が分散されることがなく、使い勝手をよくすることができる。
【００７２】
さらに、水抜栓本体１２２を接続部材２０に挿入する際、水抜栓本体１２２が挿入方向に向けて段差状に縮径しているため、水抜栓本体１２２外周に嵌合される第１のＯリング１２４及び第２のＯリング１２６の位置が、段差により所定の位置に保持される。そのため、凸部５８ｂの第１のＯリング１２４が離接する部分と凹部６０ｂの第２のＯリング１２６が離接する部分との間の距離は、第１のＯリング１２４と第２のＯリング１２６との間の距離と等しくなるように保持することができる。従って、水抜栓本体１２２の一軸方向の移動で第１水抜孔５８ｃ及び第２水抜孔６０ｃを同時に開放または閉止することができる。
【００７３】
なお、上述した本発明の一実施形態においては、接続部材２０に水抜栓１２０を設けているが、本発明はこのような構成に限定されるものではない。例えば、ホース部材１６や鋼管部材１８に設けられてもよい。ホース部材１６に設けられた場合、使用者にとって手が届きやすく水抜きの操作を行いやすい位置に水抜栓１２０を設けることができ、使い勝手をよくすることができる。また、上述した本発明の一実施形態においては、水抜栓本体１２２を、接続部材２０内から引抜く方向に移動させることで、水抜きを行う構成としているが、本発明はこのような構成に限定されるものではない。例えば、接続部材２０内へと押込む方向に水抜栓本体１２２を移動させることで、水抜きを行う構成としてもよい。
【００７４】
また、上述した本発明の一実施形態においては、小径管（内側鋼管部材３８、カプラ６０、インナーホース継手６２及びインナーホース７２）内を非浄水用原水が流れ、前記小径管と大径管（外側鋼管部材３６、ワンタッチソケット５６、中継パイプ５８及びアウターホース７４）との間には浄水用原水が流れる構成となっているが、本発明はこのような構成に限定されるものではない。バルブカートリッジ２８や流路形成部材３０における流路の設計に応じて、適宜選択することができ、例えば、浄水用原水が内側、即ち、前記小径管内を流れ、非浄水用原水が外側、即ち、前記小径管と前記大径管との間を流れる構成としてもよい。浄水用原水が内側を流れ、非浄水用原水が外側を流れる構成とした場合、吐水ヘッド部８内のより内側に位置する浄水カートリッジ１００に向けてより簡易な構造にて浄水用原水を流し込むことができる。さらに、通常、浄水用原水は非浄水用原水に比べて必要とされる流量は小さいため、浄水用原水が上記小径管内を流れる構成とすることで、上記小径管の内径及び周壁の厚みを小さくすることができ、上記小径管と上記大径管との間を流れる非浄水用原水の流量を容易に確保することができる。
【００７５】
次に、図９（ａ）及び（ｂ）により、上述した一実施形態の変形例である第２実施形態について説明する。図９（ａ）は本発明の一実施形態の変形例による水栓装置の水抜栓の通常状態を示す部分拡大断面図であり、図９（ｂ）は本発明の一実施形態の変形例による水栓装置の水抜栓の水抜状態を示す部分拡大断面図である。
【００７６】
図９に示すように、第２実施形態における水抜栓１２０は、第１のＯリング１２４及び第２のＯリング１２６がその外周に嵌合される水抜栓本体１２８と、この水抜栓本体１２８の中継パイプ５８外側へ突出した突出部の一部を覆う外装ケース１３０とを有する。外装ケース１３０内には、水抜栓本体１２８を中継パイプ５８内へ向けて付勢するコイルバネ１３２（付勢部材）が設けられる。また、外装ケース１３０の壁面には、下方に向けて開口し、水抜状態において水を外部へと排出する開口部１３０ａが穿設されている。
【００７７】
さらに、中継パイプ５８の内周の凸部５８ｂと対向する部分には、第１水抜孔５８ｃに向けて縮径するテーパ部５８ｄが設けられる。同様に、カプラ６０の内周の凹部６０ｂと対向する部分には、第２水抜孔６０ｃに向けて縮径するテーパ部６０ｄが設けられる。
【００７８】
上述した本発明の第２実施形態においては、コイルバネ１３２により、水栓装置１の通常状態においては、水抜栓１２０からの水漏れを防ぐことができる。さらに、水抜状態においては、外装ケース１３０に設けた開口部１３２ａに水が集められてそのまま排水されるため、水抜状態での排水の取り扱いが容易となる。また、テーパ部５８ｄ及びテーパ部６０ｄにより、水抜状態において、第１水抜孔５８ｃ及び第２水抜孔６０ｃへと水が流れ込みやすくなり、より確実に水抜きを行うことができる。
【符号の説明】
【００７９】
１    水栓装置
２    給湯管
４    給水管
６    操作ハンドル
８    吐水ヘッド部
８ａ  吐水部
８ｂ  切替スイッチ
１０    混合水栓装置本体
１２    カウンター
１４    吐水ヘッド取付部
１６    ホース部材
１８    鋼管部材
２０    接続部材
２２    固定弁体
２２ａ  一次側湯流路
２２ｂ  一次側水流路
２２ｃ  二次側原水側流路
２２ｄ  二次側浄水側流路
２４    可動弁体
２４ａ  一次側流路
２４ｂ  二次側流路
２８    バルブカートリッジ（流路切替部）
３０    流路形成部材
３０ａ  一次側湯流路
３０ｂ  一次側水流路
３０ｃ  二次側原水側流路
３０ｄ  二次側浄水側流路
３６    外側鋼管部材
３６ａ  浄水用原水流路
３８    内側鋼管部材
３８ａ  原水側流路
４０    内側鋼管部材接続部
４２    シール部材
４４    外側鋼管部材接続部
４６    シール部材
４８    接続流路
５８    中継パイプ
５８ａ  浄水用原水流路
５８ｂ  凸部
５８ｃ  第１水抜孔
６０    カプラ
６０ａ  非浄水用原水流路
６０ｂ  凹部
６０ｃ  第２水抜孔
７２    インナーホース
７２ａ  原水側流路
７４    アウターホース
７４ａ  浄水側流路
７６    フレキチューブ
８０    吐水ヘッド部のホース接続部
９６    外側ケーシング部材
９８    内側ケーシング部材
１００    浄水カートリッジ（浄水部）
１０２    原水側流路
１０４    浄水側流路
１０６    ストレート吐水用吐水流路
１０８    シャワー吐水用吐水流路
１１２    ストレート吐水口
１１４    シャワー吐水口
１２０    水抜栓
１２２    水抜栓本体
１２２ａ  差込穴
１２４    第１のＯリング
１２６    第２のＯリング
【図４】
2014181773.tif 000003
【図６】
2014181773.tif 000004
【図９】
2014181773.tif 000005
【図１】
2014181773.tif 000006
【図２】
2014181773.tif 000007
【図３】
2014181773.tif 000008
【図５】
2014181773.tif 000009
【図７】
2014181773.tif 000010
【図８】
2014181773.tif 000011